(57)【要約】【課題】  ＬＥＤを点滅させるためにＣＰＵが，ＬＥＤのＯＮ／ＯＦＦ制御を行わなくて済む情報処理装置を、提供する。【解決手段】  ＬＥＤ＃０〜＃５が設けられた操作パネル１０を備える情報処理装置等の，ＬＥＤを備えた情報処理装置を、ＬＥＤを自動的に点滅させる機能を有するＬＥＤ制御回路１０（ＣＰＵがＬＥＤを点滅させることを指示できるＬＥＤ制御回路１０）が用いて構成しておく。また、ＬＥＤ制御回路１０を、点滅周期を指定するための第２コントロールレジスタ１２を有するものとしておく。【選択図】  図１
2006030867.tif 000002
【特許請求の範囲】
【請求項１】
ＬＥＤを接続可能な複数のＬＥＤ接続用端子を備えたＬＥＤ制御回路であって、
ＬＥＤ接続用端子を指定した点滅指示が与えられたときに、指定されているＬＥＤ接続用端子から，所定周期でそのレベルが変更する信号を出力する状態に移行し、ＬＥＤ接続用端子と出力すべき信号レベルとを指定した指示が与えられたときに、指定されているＬＥＤ接続用端子から，指定されている信号レベルの信号を出力する状態に移行するＬＥＤ制御手段を、備える
ことを特徴とするＬＥＤ制御回路。
【請求項２】
周期に相当する情報を記憶しておくための，外部から情報設定が可能なレジスタを、さらに、備え、
前記ＬＥＤ制御手段が、
ＬＥＤ接続用端子を指定した点滅指示が与えられたときには、指定されているＬＥＤ接続用端子から，前記レジスタに設定されている情報に相当する周期でそのレベルが変更する信号を出力する状態に移行する手段である
ことを特徴とする請求項１記載のＬＥＤ制御回路。
【請求項３】
前記複数のＬＥＤ接続用端子のそれぞれを入力端子として機能させる手段を、さらに備える
ことを特徴とする請求項１又は請求項２に記載のＬＥＤ制御回路。
【請求項４】
所定の情報処理を行うための情報処理装置であって、
複数のＬＥＤと、
それぞれ、前記複数のＬＥＤと接続された複数のＬＥＤ接続用端子と、ＬＥＤ接続用端子を指定した点滅指示が与えられたときに、指定されているＬＥＤ接続用端子から，所定周期でそのレベルが変更する信号を出力する状態に移行し、ＬＥＤ接続用端子と出力すべき信号レベルとを指定した指示が与えられたときに、指定されているＬＥＤ接続用端子から，指定されている信号レベルの信号を出力する状態に移行するＬＥＤ制御手段とを有するＬＥＤ制御回路と、
前記所定の情報処理と、自装置のその時点における状態が前記複数のＬＥＤの状態にて示されるように、前記ＬＥＤ制御回路に各種指示を与えることにより、前記複数のＬＥＤを制御する処理とを、実行するＣＰＵ
とを、備えることを特徴とする情報処理装置。
【発明の詳細な説明】
【技術分野】
【０００１】
本発明は、ＬＥＤを制御するためのＬＥＤ制御回路と、ＬＥＤが用いられた情報処理装置とに関する。
【背景技術】
【０００２】
周知のように、近年、市販されている大部分の情報処理装置（コピー機，複合機，コンピュータ等）は、その筐体に設けられている複数個のＬＥＤの状態（点灯／消灯／点滅状態）が装置の動作状態に応じて変化するように構成されている。
【０００３】
そして、そのような情報処理装置は、ＣＰＵがＬＥＤのＯＮ／ＯＦＦ制御を周期的に繰り返すことによりＬＥＤが点滅する装置（例えば、特許文献１、２参照。）となっている。換言すれば、従来の，ＬＥＤが用いられた情報処理装置は、ＬＥＤが点滅している最中は、本来の処理（例えば、画像処理）の処理速度が低下している装置となっている。
【特許文献１】特開平２−１２７６５９号公報
【特許文献２】特開昭６１−１８９５９５号公報
【発明の開示】
【発明が解決しようとする課題】
【０００４】
そこで、本発明の課題は、ＬＥＤを点滅させるためにＣＰＵがＬＥＤのＯＮ／ＯＦＦ制御を行わなくて済む構成の情報処理装置、及び、そのような情報処理装置を製造することが出来るＬＥＤ制御回路を、提供することにある。
【課題を解決するための手段】
【０００５】
上記課題を解決するために、本発明では、ＬＥＤを接続可能な複数のＬＥＤ接続用端子を備えたＬＥＤ制御回路を、ＬＥＤ接続用端子を指定した点滅指示が与えられたときに、指定されているＬＥＤ接続用端子から，所定周期でそのレベルが変更する信号を出力する状態に移行し、ＬＥＤ接続用端子と出力すべき信号レベルとを指定した指示が与えられたときに、指定されているＬＥＤ接続用端子から，指定されている信号レベルの信号を出力する状態に移行するＬＥＤ制御手段を、備えるものとして構成（設計・製造）しておく。
【０００６】
すなわち、本発明のＬＥＤ制御回路は、ＬＥＤを自動的に（ＣＰＵ等から周期的にＯＮ／ＯＦＦ指示を受けることなく）点滅させることが出来る構成を有する。このため、このＬＥＤ制御回路を用いて製造された情報処理装置（つまり、本発明の情報処理装置）内のＣＰＵは、或る処理を実行を開始するため、或るＬＥＤを点滅させる必要が生じた場合、ＬＥＤ制御回路に対して当該ＬＥＤを点滅させるための指示を与えておきさえすれば、その後、当該処理の実行が完了するまでは、ＬＥＤ制御回路に対する制御を何等行わなくても良いことになる。従って、本発明のＬＥＤ制御回路を用いれば、ＬＥＤを点滅させるためにＣＰＵがＬＥＤのＯＮ／ＯＦＦ制御を行っている従来の情報処理装置よりも、ＬＥＤの制御に関するＣＰＵの負荷が少ない情報処理装置（ＬＥＤ点滅中の処理が高速に実行される情報処理装置）を実現できることになる。
【０００７】
なお、本発明のＬＥＤ制御回路を実現するに際しては、ＬＥＤの点滅周期を変更できるようにするために、周期に相当する情報を記憶しておくための，外部から情報設定が可能なレジスタを付加しておくと共に、ＬＥＤ制御手段として、ＬＥＤ接続用端子を指定した点滅指示が与えられたときには、指定されているＬＥＤ接続用端子から，レジスタに設定されている情報に相当する周期でそのレベルが変更する信号を出力する状態に移行する手段を採用しておくことが、出来る。
【０００８】
また、本発明のＬＥＤ制御回路を、複数のＬＥＤ接続用端子のそれぞれを入力端子として機能させる手段を、さらに備えるものとして実現しておいても良い。換言すれば、本発明のＬＥＤ制御回路を、ＬＥＤとは異なる素子の制御にも使用できる回路（いわゆる汎用インタフェース回路と）として実現しておいても良い。
【発明を実施するための最良の形態】
【０００９】
以下、本発明を実施するための最良の形態を、図面を参照して詳細に説明する。
【００１０】
まず、図１を用いて、本発明の一実施形態に係る情報処理装置、ＬＥＤ制御回路の概要を説明する。
【００１１】
本実施形態に係る情報処理装置は、ファクシミリ、コピー機、ネットワークスキャナ、スキャンメール送信装置等として動作可能な装置（いわゆる複合機）である。なお、情報処理装置は、ファクシミリとして動作させるためには、ＦＡＸユニットを装着することが必要な装置となっている。また、情報処理装置は、スキャンメール送信装置等として動作させるためには、ある種の設定が必要な装置となっている。
【００１２】
そして、情報処理装置は、図１(Ａ)に示した構成(外観)を有する操作パネル２０，すなわち，ＬＣＤ(液晶ディスプレイ)２１，各種の押しボタンスイッチ，ＬＥＤ＃０〜＃５等が設けられた操作パネル２０を備えた装置となっている。
【００１３】
一方、本実施形態に係るＬＥＤ制御回路１０は、図１(Ｂ)に模式的に示したように、ＬＥＤを制御可能な（ＬＥＤに接続可能な）８つの端子（以下、LED[0]端子〜LED[7]端子と表記する），LED[0]〜LED[3]用の第１〜第４コントロールレジスタ１１〜１４，LED[4]〜LED[7]用の第１〜第４コントロールレジスタ１１〜１４等を備えた半導体回路（ＡＳＩＣ）である。なお、ＬＥＤ制御回路１０は、押しボタンスイッチやブザー用のインタフェース回路としても機能する回路であるため、ＬＥＤ制御回路１０には、図示していない端子（押しボタンスイッチやブザーに接続される端子，ＣＰＵ等と接続される端子）も設けられている。また、ＬＥＤ制御回路１０は、実際の処理を行う各種論理回路も備えている。
【００１４】
そして、上記した操作パネル２０は、ＬＥＤ＃０〜＃５の制御のために、このＬＥＤ制御回路１０が用いられたものとなっている。
【００１５】
次に、図１(Ｂ)及び図２〜図６を用いて、ＬＥＤ制御回路１０の構成及び機能を具体的に説明する。
【００１６】
ＬＥＤ制御回路１０が備えるLED[0]〜LED[3]用，LED[4]〜LED[7]用の第２コントロールレジスタ１２は、図２に模式的に示したように、下位２０ビットの値が、LED[0]〜LED[3]用，LED[4]〜LED[7]用のLED_CT[19:0]として用いられているレジスタである。
【００１７】
ここで、LED[0]〜LED[3]用のLED_CT[19:0]とは、その値から、LED[0]端子〜LED[3]端子に接続されている各ＬＥＤの点滅周期（LED[X]端子（X＝0,1,2,3）の出力信号レベルの変更周期）が定まる情報のことである。また、LED[4]〜LED[7]用のLED_CT[19:0]とは、その値から、LED[4]端子〜LED[7]端子に接続されている各ＬＥＤの点滅周期（LED[X]端子（X＝4,5,6,7）の出力信号レベルの変更周期）が定まる情報のことである。
【００１８】
なお、本ＬＥＤ制御回路１０は、LED[0]〜LED[3]用，LED[4]〜LED[7]用のLED_CT[19:0]の値（LED[0]〜LED[3]用，LED[4]〜LED[7]用の第２コントロールレジスタ１２の下位２０ビットの値）を変えることにより、15.36μＳからおよそ16Ｓまで点滅周期を変更できる回路として構成（設計・製造）されている。より具体的には、ＬＥＤ制御回路１０は、“2×7.68×(LED_CT[19:0]+1)”μＳ周期（7.68は、ＬＥＤ制御回路１０の，30ｎＳ周期の内部クロックを分周（×２５６）することにより得られたクロックの周期）で各ＬＥＤを点滅させる回路として構成されている。
【００１９】
ＬＥＤ制御回路１０が備えるLED[0]〜LED[3]用の第１コントロールレジスタ１１は、図３に模式的に示したように、第２４、第２５、第２６，第２７ビットの値が、それぞれ、LED_SW[0]，LED_SW[1]，LED_SW[2]，LED_SW[3]として用いられ、第１６，第１７，第１８，第１９ビットの値が、それぞれ、LED_OE[0]，LED_OE[1]，LED_OE[2]，LED_OE[3]として用いられているレジスタである。さらに、LED[0]〜LED[3]用の第１コントロールレジスタ１１は、第８、第９、第１０，第１１ビットが、それぞれ、LEDI[0]，LEDI[1]，LEDI[2]，LEDI[3]の記憶に用いられ、第０，第１，第２，第３ビットの値が、それぞれ、LEDO[0]，LEDO[1]，LEDO[2]，LEDO[3]として用いられているレジスタとなっている。
【００２０】
一方、ＬＥＤ制御回路１０が備えるLED[4]〜LED[7]用の第１コントロールレジスタ１１は、第２４、第２５、第２６，第２７ビットの値が、それぞれ、LED_SW[4]，LED_SW[5]，LED_SW[6]，LED_SW[7]として用いられ、第１６，第１７，第１８，第１９ビットの値が、それぞれ、LED_OE[4]，LED_OE[5]，LED_OE[6]，LED_OE[7]として用いられ、第８、第９、第１０，第１１ビットが、それぞれ、LEDI[4]，LEDI[5]，LEDI[6]，LEDI[7]の記憶に用いられ、第０，第１，第２，第３ビットの値が、それぞれ、LEDO[4]，LEDO[5]，LEDO[6]，LEDO[7]として用いられているレジスタとなっている。
【００２１】
ここで、LED_SW[X]（X=0〜7の整数）とは、LED[X]端子に接続されているＬＥＤを点滅させるか否か（LED[X]端子の出力信号レベルを周期的に変更するか否か）を指定する値（点滅させる場合が“１”）のことである。なお、詳細は後述するが、本ＬＥＤ制御回路１０は、LED_SW[X]を“１”としただけでは、LED[X]端子に接続されているＬＥＤが点滅しない回路となっている。
【００２２】
また、LED_OE[X]とは、LED[X]を入力端子として使用するか出力端子として使用するかを指定する値（出力端子の場合が“１”）のことであり、LEDI[X]とは、LED[X]に入力された値のことである。すなわち、本ＬＥＤ制御回路１０のLED[0]端子〜LED[7]端子は、通常の入力端子／入出力端子としても使用できるものとなっている。そして、LED[0]〜LED[3]用の第１コントロールレジスタ１１の第８〜第１１ビットは、LED[0]端子〜LED[3]端子が入力端子／入出力端子として使用される場合に意味を持つビットとなっており、LED[4]〜LED[7]用の第１コントロールレジスタ１１の第８〜第１１ビットは、LED[4]端子〜LED[7]端子が入力端子／入出力端子として使用される場合に意味を持つビットとなっている。
【００２３】
LEDO[X]とは、LED[X]端子から出力される信号（LED[X]端子上に現れる電圧）のレベルを間接的に指定する値のことである。本ＬＥＤ制御回路１０は、このLEDO[X]が“１”であり、かつ、LED_OE[X]が“１”であり、かつ、LED_SW[X]が“１”である状態となったときに、“2×7.68[=分周クロックの周期]×(LED_CT[19:0]+1)”周期（ただし、LED_CT[19:0]は、X=0〜3の場合には、LED[0]〜LED[3]用のもの、X=4〜7の場合には、LED[4]〜LED[7]用のもの）でLED[X]端子の出力信号レベルを変更する状態に移行する回路として構成されている。また、ＬＥＤ制御回路１０は、LED_OE[X]が“１”であり、かつ、LED_SW[X]が“０”である状態になった場合には、LEDO[X]をそのままLED[X]端子から出力する状態に移行するようにも構成されている。
【００２４】
要するに、本ＬＥＤ制御回路１０は、例えば、LED_CT[19:0]の全てのビットが“０”とされている場合には、図４(Ａ)に模式的に示してあるように動作し、LED_CT[19:0]の第０ビットのみが“１”とされている場合には、図４(Ｂ)に模式的に示してあるように動作する回路となっている。なお、図示は省略するが、本ＬＥＤ制御回路１０は、LED_SW[X]を“１”とした後にLED_OE[X]を“１”としても、LED_SW[X]とLED_OE[X]とを同時に“１”としても機能するように、構成されている。
【００２５】
ＬＥＤ制御回路１０（図１）が備えるLED[0]〜LED[3]用，LED[0]〜LED[3]用の第３コントロールレジスタ１３，第４コントロールレジスタ１４は、いずれも、LED[X]端子を入力端子（或いは入出力端子）として使用する場合に利用されるレジスタである。すなわち、これらのレジスタは、LED[X]端子がＬＥＤに接続される場合には利用されることがないレジスタとなっている。
【００２６】
具体的には、図５に模式的に示したように、LED[0]〜LED[3]用の第３コントロールレジスタ１３は、第０、第１、第２，第３ビットの値が、それぞれ、LED_MSK[0]，LED_MSK[1]，LED_MSK[2]，LED_MSK[3]として用いられ、第８，第９，第１０，第１１ビットの値が、それぞれ、LED_POLE[0]，LED_POLE[1]，LED_POLE[2]，LED_POLE[3]として用いられているレジスタとなっている。また、LED[4]〜LED[7]用の第３コントロールレジスタ１３は、第０、第１、第２，第３ビットの値が、それぞれ、LED_MSK[4]，LED_MSK[5]，LED_MSK[6]，LED_MSK[7]として用いられ、第８，第９，第１０，第１１ビットの値が、それぞれ、LED_POLE[4]，LED_POLE[5]，LED_POLE[6]，LED_POLE[7]として用いられているレジスタとなっている。
【００２７】
なお、LED_POLE[X]（X=0〜7の整数）とは、LED[X]を正論理入力端子として使用するか負論理入力端子として使用するかを指定する値（正論理入力端子の場合が“０”）のことである。また、LED_MSK[X]とは、LED[X]による割込を許可するか否かを指定する情報（割込許可の場合が“１”）である。
【００２８】
そして、図６に模式的に示したように、ＬＥＤ制御回路１０が備えるLED[0]〜LED[3]用の第４コントロールレジスタ１４は、第０、第１、第２，第３ビットの値が、それぞれ、LED_LINTN[0]，LED_LINTN[1]，LED_LINTN[2]，LED_LINTN[3]として用いられているレジスタとなっており、LED[4]〜LED[5]用の第４コントロールレジスタ１４は、第０、第１、第２，第３ビットの値が、それぞれ、LED_LINTN[4]，LED_LINTN[5]，LED_LINTN[6]，LED_LINTN[7]として用いられているレジスタとなっている。なお、LED_LINTN[X]とは、LED[X]による割込が発生した際に、“０”に変化する値であると共に、割込の発生を認識した／割込に対する処理を終えたＣＰＵによって“１”に書き換えられる値のことである。
【００２９】
次に、本実施形態に係る情報処理装置の構成及び動作を、ＬＥＤ制御回路１０が関係する部分を中心に、説明する。
【００３０】
本実施形態に係る情報処理装置が備える操作パネル２０（図１）に設けられているＬＥＤ＃０は、情報処理装置の状態が、電源が投入されていない状態，電源が投入されており通常モードで動作している状態，電源が投入されており低電力モードで動作している状態のいずれであるかを、操作者に知らせるための２色ＬＥＤ（緑色ＬＥＤと赤色ＬＥＤとが組み合わされた素子）である。このＬＥＤ＃０を構成する赤色ＬＥＤは、ＬＥＤ制御回路１０のLED[0]端子と接続され、ＬＥＤ＃０を構成する緑色ＬＥＤは、情報処理装置の電源装置に接続されている。すなわち、ＬＥＤ＃０は、情報処理装置の電源が投入されている状態では、緑色ＬＥＤが点灯する形（緑色ＬＥＤに関する点灯／消灯制御をＣＰＵが行わない形）で、操作パネル２０内に組み込まれている。
【００３１】
操作パネル２０に設けられているＬＥＤ＃１は、エラーの発生を操作者に通知するための赤色ＬＥＤであり、ＬＥＤ＃３は、割込モードで動作中であることを操作者に通知するための緑色ＬＥＤである。ＬＥＤ＃４は、ジョブメモリ（情報処理装置内に登録されるコピー条件等を規定する情報）に関する編集作業等を実行中であることを操作者に通知するための緑色ＬＥＤである。
【００３２】
要するに、ＬＥＤ＃０，＃３，＃４は、点滅させることがないＬＥＤとなっておおり、操作パネル２０内のＣＰＵは、各ＬＥＤを点灯或いは消灯させるべき条件が満たされたときに、ＬＥＤ制御回路１０を制御することにより（第１コントロールレジスタ１１に所定の情報を書き込むことにより）、各ＬＥＤを点灯あるいは消灯させるように、プログラムされている。
【００３３】
これに対して、ＬＥＤ＃１，＃２，＃５は、点滅させる場合があるＬＥＤとなっている。
【００３４】
具体的には、ＬＥＤ＃１は、エラーが発生し、選択された機能が使用、続行できない状態であることを示す場合に点滅状態にある。ＬＥＤ＃２は、情報処理装置が特に何も処理を行っていない場合には、その時点において選択されている機能（ＬＣＤ２１等に対する操作等により選択されている機能）が利用できるもの（当該機能の利用に必要な設定／オプション装置の装着がなされているもの）であるか否かを操作者に通知するための手段として機能する緑色ＬＥＤとなっている。また、ＬＥＤ＃２は、情報処理装置が，或る処理を実行中であるが故に、機能の利用開始指示を新たに受け付けられない状態にある場合には、当該状態にあることを、点滅することによって操作者に通知する手段ともなっている。
【００３５】
また、ＬＥＤ＃５は、消灯状態にあることが、ＦＡＸユニットに処理待機中のデータがない状態，或いは，ＦＡＸユニットが情報処理装置に組み込まれていない状態にあることを示し、点滅状態にあることが、ＦＡＸユニットに印刷待機中のデータがあり、かつ、ＦＡＸユニット内の印刷待機中のデータの印刷を行えない状態（例えば、コピー中にＦＡＸの受信が開始された状態）にあることを示し、点灯状態にあることが、ＦＡＸユニットに送受信データや印刷待機中／送受信待機中のデータがある状態（ただし、点滅に相当する状態ではない状態）にあることを示す緑色ＬＥＤとなっている。
【００３６】
そして、操作パネル２０内のＣＰＵは、ＬＥＤ＃１、ＬＥＤ＃２或いはＬＥＤ＃５を点滅させる必要が生じた際に、ＬＥＤ制御回路１０を制御することにより（第１コントロールレジスタ１１に所定の情報を書き込むことにより）、点滅させることが必要となったＬＥＤを点滅させ、点滅させたＬＥＤを点滅させる必要が無くなったときに、ＬＥＤ制御回路１０を制御することにより、当該ＬＥＤを消灯或いは点灯させるように、プログラムされている。
【００３７】
以上、説明したように、本実施形態に係る情報処理装置（情報処理装置が備える操作パネル２０）には、ＬＥＤを自動的に点滅させることが可能なＬＥＤ制御回路１０が用いられている。そして、そのようなＬＥＤ制御回路１０が用いられているが故に、本実施形態に係る情報処理装置（情報処理装置が備える操作パネル２０）内のＣＰＵが、或るＬＥＤ（ＬＥＤ＃１、ＬＥＤ＃２或いはＬＥＤ＃５）を点滅させるために行わなければならない処理は、当該ＬＥＤを点滅させる必要が生じたときにＬＥＤ制御回路１０を制御する処理、及び、当該ＬＥＤを点滅させる必要がなくなったときにＬＥＤ制御回路１０を制御する処理だけとなっている。
【００３８】
従って、本実施形態に係る情報処理装置は、ＬＥＤを点滅させるためにＣＰＵがＬＥＤのＯＮ／ＯＦＦ制御を行っている従来の情報処理装置よりも、ＬＥＤの制御に関するＣＰＵの負荷が少ない装置（ＬＥＤ点滅中の処理が高速に実行される装置）となっているということが出来る。
【００３９】
《変形形態》
上記した情報処理装置、ＬＥＤ制御回路１０は、各種の変形を行うことが出来る。例えば、LED[X]端子の用途が制限されることにはなるが、ＬＥＤ制御回路１０を、LED[X]端子が出力端子としてしか使用できないものに変形することが出来る。また、各LED[X]端子に関する点滅周期を独立して設定できるようにするために、ＬＥＤ制御回路１０を、第２コントロールレジスタ１２を８個備えたもの（LED[X]端子毎に第２コントロールレジスタ１２が設けられているもの）に変形しても良い。
【００４０】
また、各レジスタの具体的な構成を上記したものとは異なるものとしても良いことや、ＬＥＤ制御回路１０が用いられる情報処理装置が、いわゆる複合機でなくても良いこと等は、当然のことである。
【図面の簡単な説明】
【００４１】
【図１】本発明の一実施形態に係る情報処理装置が備える操作パネル，当該操作パネルに用いられているＬＥＤ制御回路の説明図。
【図２】実施形態に係るＬＥＤ制御回路が備える第２コントロールレジスタの説明図。
【図３】実施形態に係るＬＥＤ制御回路が備える第１コントロールレジスタの説明図。
【図４】実施形態に係るＬＥＤ制御回路の動作を説明するためのタイミングチャート。
【図５】実施形態に係るＬＥＤ制御回路が備える第３コントロールレジスタの説明図。
【図６】実施形態に係るＬＥＤ制御回路が備える第４コントロールレジスタの説明図。
【符号の説明】
【００４２】
１０  ＬＥＤ制御回路、  １１  第１コントロールレジスタ
１２  第２コントロールレジスタ、  １３  第３コントロールレジスタ
１４  第４コントロールレジスタ、  ２０  操作パネル
２１  ＬＣＤ
【図１】
2006030867.tif 000003
【図２】
2006030867.tif 000004
【図３】
2006030867.tif 000005
【図４】
2006030867.tif 000006
【図５】
2006030867.tif 000007
【図６】
2006030867.tif 000008